(57)【要約】【課題】複数の表示部のうち表示画像を表示させる表示部を決定する作業を容易に行うことができる画像処理装置、及び画像表示システムを提供する。【解決手段】画像処理装置１００は、読取部１０と、算出部５１と、記憶部３０と、決定部５２と、制御部５３とを備える。読取部１０は、シートＳに形成された表示画像Ｇを読み取る。算出部５１は、表示画像Ｇに基づいて、表示画像Ｇに表示された画像場所情報Ｇ２を算出する。記憶部３０は、複数の場所情報Ｌと、複数のグループＭとをそれぞれ対応付けた第１対応情報３２を記憶する。決定部５２は、第１対応情報３２と画像場所情報Ｇ２とに基づいて、複数のグループＭのうちの少なくとも１つを示す対象グループを決定する。制御部５３は、対象表示部に表示画像Ｇを表示させる。【選択図】図１
2019117572.tif 000002
【特許請求の範囲】
【請求項１】
互いに異なる場所に配置される第１表示部〜第Ｎ（Ｎは２以上の整数）表示部を含む情報装置を用いた画像処理装置であって、
シートに形成された表示画像を読み取る読取部と、
前記表示画像に基づいて、前記表示画像に表示された画像場所情報を算出する算出部と、
複数の場所情報と、複数のグループとをそれぞれ対応付けた第１対応情報を記憶する記憶部と、
前記第１対応情報と前記画像場所情報とに基づいて、前記複数のグループのうちから対象グループを決定する決定部と、
前記第１表示部〜前記第Ｎ表示部の各々を制御する制御部と
を備え、
前記画像場所情報、及び前記複数の場所情報の各々は、住所を示す情報、及び／又は、施設の名称を示す情報を含み、
前記複数のグループの各々は、前記第１表示部〜前記第Ｎ表示部のうちの少なくとも１つを含み、
前記制御部は、前記第１表示部〜前記第Ｎ表示部のうち、前記対象グループに含まれる表示部である対象表示部に前記表示画像を表示させる、画像処理装置。
【請求項２】
前記記憶部は、前記第１表示部〜前記第Ｎ表示部と、第１人数情報〜第Ｎ人数情報とをそれぞれ対応付けた第２対応情報をさらに記憶し、
第ｎ（ｎは１以上Ｎ以下の整数）人数情報は、第ｎ表示部を通過した通行人の人数と、時刻との関係を示し、
前記算出部は、前記第２対応情報に基づいて、前記対象表示部に前記表示画像を表示させる時刻又は時間帯である対象時間を算出し、
前記対象時間になると、前記制御部が前記対象表示部に前記表示画像を表示させる、請求項１に記載の画像処理装置。
【請求項３】
前記情報装置は、第１撮像部〜第Ｎ撮像部をさらに含み、
第ｎ（ｎは１以上Ｎ以下の整数）撮像部は、第ｎ表示部の周辺を撮像する、請求項１又は請求項２に記載の画像処理装置。
【請求項４】
前記制御部は、前記第１撮像部〜前記第Ｎ撮像部の各々により撮像された通行人の画像に基づいて前記第１対応情報を更新する、請求項３に記載の画像処理装置。
【請求項５】
前記情報装置は、第１撮像部〜第Ｎ撮像部をさらに含み、
第ｎ（ｎは１以上Ｎ以下の整数）撮像部は、第ｎ表示部の周辺を撮像し、
前記制御部は、前記第１撮像部〜前記第Ｎ撮像部の各々により撮像された通行人の画像に基づいて前記第２対応情報を更新する、請求項２に記載の画像処理装置。
【請求項６】
前記算出部は、前記表示画像に基づいて、前記表示画像に表示された画像イベント情報を算出し、
前記記憶部は、第１イベント情報〜第Ｐ（Ｐは２以上の整数）イベント情報と、第１イベント属性〜第Ｐイベント属性とをそれぞれ対応付けた第３対応情報をさらに記憶し、
第ｐ（ｐは１以上Ｐ以下の整数）イベント属性は、第ｐイベント情報に適合する人物の属性を示し、
前記制御部は、
前記画像イベント情報、及び前記第３対応情報に基づいて、前記画像イベント情報に適合する人物の属性である適合属性を算出し、
前記第ｎ撮像部が撮像している通行人である被撮像人の画像に基づいて、前記被撮像人の属性を算出し、
前記被撮像人が前記適合属性を有しない場合、前記第ｎ表示部が前記被撮像人を撮像している間は、前記対象表示部に前記表示画像を表示させない、請求項３に記載の画像処理装置。
【請求項７】
前記対象表示部は、画像を表示可能な表示可能領域を有し、
前記制御部は、前記表示可能領域のサイズに合わせたサイズを有する前記表示画像を、前記表示可能領域に表示させる、請求項１から請求項６のいずれか１項に記載の画像処理装置。
【請求項８】
前記制御部は、前記第１撮像部〜前記第Ｎ撮像部の各々が撮像した通行人の画像に基づいて、前記通行人の属性を算出し、
前記記憶部は、第１表示画像〜第Ｑ（Ｑは２以上の整数）表示画像と、第１画像属性〜第Ｑ画像属性とをそれぞれ対応付けた第４対応情報をさらに記憶し、
第ｑ（ｑは１以上Ｑ以下の整数）画像属性は、第ｑ表示画像に適合する人物の属性を示し、
前記制御部は、
前記第ｎ撮像部が通行人を撮像すると、前記第ｎ撮像部が撮像している通行人である被撮像人の属性を算出し、
前記第４対応情報に基づいて、前記第１表示画像〜前記第Ｑ表示画像のうちから、前記被撮像人の属性に適合する前記表示画像である適合画像を算出し、
前記第ｎ撮像部が前記被撮像人を撮像している間、前記第ｎ表示部に前記適合画像を表示させる、請求項３に記載の画像処理装置。
【請求項９】
請求項１から請求項８のいずれか１項に記載の画像処理装置と、
前記情報装置と
を備える、画像表示システム。
【発明の詳細な説明】
【技術分野】
【０００１】
本発明は、画像処理装置、及び画像表示システムに関する。
【背景技術】
【０００２】
特許文献１に記載の広告表示管理システムは、ユーザー端末と、統括司令所と、複数の広告グループとを備える。広告ユーザーは、ユーザー端末を介して統括司令所に対し、広告データを入力する。また、広告ユーザーは、ユーザー端末を介して広告グループを選択し、広告を表示する時間帯を選択する。
【先行技術文献】
【特許文献】
【０００３】
【特許文献１】特開２００２−５６２７３号公報
【発明の概要】
【発明が解決しようとする課題】
【０００４】
しかし、広告ユーザーは複数の広告グループ（表示部）のうちから広告（表示画像）を表示させる広告グループを決定しなければならず、煩雑な作業を要する。また、広告ユーザーの選択したグループが広告を表示するのに適した場所に位置しているか否か不明なことがある。この場合、広告ユーザーは、例えば、グループの位置する場所まで行って、グループが適した場所に位置しているか否かを確認する。その結果、広告を表示させる広告グループを決定するのに煩雑な作業を要する。
【０００５】
本発明は、複数の表示部のうち表示画像を表示させる表示部を決定する作業を容易に行うことができる画像処理装置、及び画像表示システムを提供する。
【課題を解決するための手段】
【０００６】
本発明の一局面によれば、画像処理装置は、互いに異なる場所に配置される第１表示部〜第Ｎ（Ｎは２以上の整数）表示部を含む情報装置を用いる。画像処理装置は、読取部と、算出部と、記憶部と、決定部と、制御部とを備える。読取部は、シートに形成された表示画像を読み取る。算出部は、前記表示画像に基づいて、前記表示画像に表示された画像場所情報を算出する。記憶部は、複数の場所情報と、複数のグループとをそれぞれ対応付けた第１対応情報を記憶する。決定部は、前記第１対応情報と前記画像場所情報とに基づいて、複数の前記グループのうちの少なくとも１つを示す対象グループを決定する。制御部は、前記第１表示部〜前記第Ｎ表示部の各々を制御する。前記場所情報は、住所を示す情報、及び／又は、施設の名称を示す情報を含む。前記複数のグループの各々は、前記第１表示部〜前記第Ｎ表示部のうちの少なくとも１つを含む。前記制御部は、前記第１表示部〜前記第Ｎ表示部のうち、前記対象グループに含まれる表示部である対象表示部に前記表示画像を表示させる。
【０００７】
本発明の他の一局面によれば、画像形成システムは、上記画像処理装置と、上記情報装置とを備える。
【発明の効果】
【０００８】
本発明によれば、複数の表示部のうち表示画像を表示させる表示部を決定する作業を容易に行うことができる。
【図面の簡単な説明】
【０００９】
【図１】本発明の実施形態に係る画像表示システムのブロック図である。
【図２】表示画像の一例を示す図である。
【図３】第１対応情報を示す図である。
【図４】制御装置の第１の動作を示す第１フロー図である。
【図５】制御装置の第１の動作を示す第２フロー図である。
【図６】制御装置の第２の動作を示すフロー図である。
【図７】第２対応情報を示す図である。
【図８】制御装置の第３の動作を示すフロー図である。
【図９】制御装置の第４の動作を示すフロー図である。
【図１０】第３対応情報を示す図である。
【図１１】制御装置の第５の動作を示す第１フロー図である。
【図１２】制御装置の第５の動作を示す第２フロー図である。
【図１３】第４対応情報を示す図である。
【図１４】制御装置の第６の動作を示すフロー図である。
【図１５】画像形成装置を示す模式的断面図である。
【発明を実施するための形態】
【００１０】
本発明の実施形態について、図面を参照しながら説明する。なお、図中、同一又は相当部分については同一の参照符号を付して説明を繰り返さない。
【００１１】
［第１実施形態］
図１を参照して、本発明の第１実施形態に係る画像表示システムＸについて説明する。図１は、画像表示システムＸのブロック図である。
【００１２】
図１に示すように、画像表示システムＸは、例えば、デジタルサイネージとして機能する。画像表示システムＸは、画像処理装置１００と、情報装置２００とを備える。
【００１３】
画像処理装置１００は、例えば、コンビニエンスストアのような商業施設に配置される。画像処理装置１００は、読取部１０、入力部２０、記憶部３０、通信部４０、及び制御装置５０を有する。
【００１４】
読取部１０は、シートＴに形成された表示画像Ｇを走査して、シートＴに形成された表示画像Ｇを読み取る。その結果、読取部１０は、表示画像Ｇを示す画像データを取得する。
【００１５】
読取部１０は、例えば、ＬＥＤ（Ｌｉｇｈｔ  Ｅｍｉｔｔｉｎｇ  Ｄｉｏｄｅ）のような発光部と、イメージセンサーのような撮像部とを含む。読取部１０は、発光部、及び撮像部を用いて、シートＴに形成された表示画像Ｇを走査する。
【００１６】
入力部２０は、画像処理装置１００に対する指示を受け付ける。入力部２０は、タッチパネル及び複数の操作キーを含む。
【００１７】
記憶部３０は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ、及び不揮発性メモリー）をさらに含んでもよい。主記憶装置及び／又は補助記憶装置は、制御装置５０によって実行される種々のコンピュータープログラムを記憶する。
【００１８】
通信部４０は、制御装置５０と情報装置２００との間で情報の送受信を行う。通信部４０は、例えば、同じ通信方式（プロトコル）を利用する通信機が搭載された電子機器との間で通信が可能である。第１実施形態において、通信部４０は、ＬＡＮ（Ｌｏｃａｌ  Ａｒｅａ  Ｎｅｔｗｏｒｋ）などのネットワーク網Ｎを介して情報装置２００と通信する。通信部４０は、例えば、ＬＡＮボードのような通信モジュール（通信機器）である。
【００１９】
制御装置５０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置５０は、画像処理装置１００の各要素を制御する。具体的には、制御装置５０のプロセッサーは、記憶装置に記憶されたコンピュータープログラムを実行することにより、読取部１０と、入力部２０と、記憶部３０と、通信部４０とを制御する。また、制御装置５０は、通信部４０を介して情報装置２００を制御する。
【００２０】
制御装置５０は、算出部５１と、決定部５２と、制御部５３とを有する。具体的には、制御装置５０のプロセッサーが、記憶装置に記憶されたコンピュータープログラムを実行することにより、算出部５１、決定部５２、及び制御部５３として機能する。
【００２１】
情報装置２００は、複数の表示部αと、複数の撮像部βとを含む。
【００２２】
複数の表示部αの各々は、例えば、ＬＣＤ（Ｌｉｑｕｉｄ  Ｃｒｙｓｔａｌ  Ｄｉｓｐｌａｙ）、ＥＬＤ（Ｅｌｅｃｔｒｏ  Ｌｕｍｉｎｅｓｃｅｎｃｅ  Ｄｉｓｐｌａｙ）、又は映像プロジェクタのようなディスプレーである。
【００２３】
複数の表示部αの各々は、互いに異なる場所に配置される。複数の表示部αの各々は、例えば、通行人が視認可能な場所に配置される。複数の表示部αの各々は、例えば、住宅街、繁華街、駅、商業施設、及び／又は、公共施設に配置される。複数の表示部αの各々は、ネットワーク網Ｎを介して制御装置５０により制御される。
【００２４】
複数の表示部αは、第１表示部α１〜第Ｎ表示部αＮを含む。Ｎは、２以上の整数である。複数の表示部αの各々は、画像を表示可能な表示可能領域を有する。第１表示部α１〜第Ｎ表示部αＮは、それぞれ、第１表示可能領域〜第Ｎ表示可能領域を有する。第ｎ表示可能領域は、第ｎ表示部αｎの表示可能領域を示す。ｎは、１以上Ｎ以下の整数である。
【００２５】
複数の撮像部βの各々は、例えば、レンズとイメージセンサーとを有する。レンズは、撮像部βの外部から入射する光を集光し、イメージセンサーの撮像面に結像させる。イメージセンサーは、例えば、ＣＣＤ（Ｃｈａｒｇｅｄ  Ｃｏｕｐｌｅｄ  Ｄｅｖｉｃｅ）、又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）のような固定撮像素子で構成される。イメージセンサーは、撮像面に結像した光学像を電気信号に変換して、画像データを生成する。複数の撮像部βの各々が生成した画像データは、ネットワーク網Ｎを介して制御装置５０に送信される。
【００２６】
複数の撮像部βは、第１撮像部β１〜第Ｎ撮像部βＮを含む。複数の撮像部βは、それぞれ、複数の表示部αの周辺を撮像する。具体的には、第ｎ撮像部βｎは、第ｎ表示部αｎの近傍に配置される。第ｎ撮像部βｎは、第ｎ表示部αｎの周辺を撮像する。
【００２７】
記憶部３０は、サイズ情報３１と、第１対応情報３２とを記憶する。
【００２８】
サイズ情報３１は、複数の表示部αの各々の表示可能領域を示す情報である。なお、第ｎ表示部αｎの表示可能領域を、第ｎ表示可能領域と記載する。
【００２９】
次に、図２を参照して、シートＳに形成される表示画像Ｇについて説明する。図２は、表示画像Ｇの一例を示す図である。
【００３０】
図２に示すように、表示画像Ｇは、画像イベント情報Ｇ１と、画像場所情報Ｇ２と、画像日時情報Ｇ３とを含む。
【００３１】
画像イベント情報Ｇ１は、イベント情報を含む。イベント情報は、例えば、「運動会」、「フリーマーケット」、及び「××展示会」のようなイベントの内容を示す情報である。画像イベント情報Ｇ１は、例えば、文字で表される。
【００３２】
画像場所情報Ｇ２は、場所情報Ｌを含む。場所情報Ｌは、例えば、住所を示す情報、及び／又は、「〇×小学校」のような施設の名称を示す情報である。画像場所情報Ｇ２は、例えば、文字で表される。
【００３３】
画像日時情報Ｇ３は、日時情報を含む。日時情報は、例えば、「２０００年１０月１０日午前１０時」のような日時を示す情報である。画像日時情報Ｇ３は、例えば、文字で表される。
【００３４】
次に、図３を参照して、第１対応情報３２について説明する。図３は、第１対応情報３２を示す図である。
【００３５】
図３に示すように、第１対応情報３２は、複数の場所情報Ｌと、複数のグループＭとをそれぞれ対応付けた情報である。複数のグループＭの各々は、複数の表示部αのうちの少なくとも１つを示す。
【００３６】
複数の場所情報Ｌは、第１場所情報Ｌ１〜第Ｒ場所情報ＬＲで構成される。Ｒは、２以上の整数である。複数のグループＭは、第１グループＭ１〜第ＲグループＭＲで構成される。第１対応情報３２では、第１場所情報Ｌ１〜第Ｒ場所情報ＬＲと、第１グループＭ１〜第ＲグループＭＲとがそれぞれ対応付けられる。
【００３７】
第１対応情報３２では、第ｒ場所情報Ｌｒと、第ｒグループＭｒとが対応付けられる。ｒは、１以上、Ｒ以下の整数を示す。第１実施形態では、第１場所情報Ｌ１は、「〇×小学校」である。第１グループＭ１は、第１表示部α１〜第２表示部α２を含む。従って、第１実施形態では、「〇×小学校」と、第１表示部α１〜第２表示部α２とが対応付けられる。
【００３８】
第ｒグループＭｒに含まれる表示部αは、第ｒ場所情報Ｌｒが示す場所である第ｒ場所に対して所定の位置に配置される。所定の位置は、例えば、第ｒ場所の周辺、第ｒ場所から所定の距離だけ離間した位置、及び／又は、第ｒ場所に向かう経路に沿った位置を示す。所定の距離だけ離間した位置は、例えば、第ｒ場所が示す場所に向かって徒歩又は交通機関により移動した場合に、所定時間内に第ｒ場所に到達できる位置を示す。所定の距離は、例えば、画像イベント情報Ｇ１の内容を考慮して、適宜決定される。
【００３９】
次に、図４及び図５を参照して、制御装置５０の第１の動作について説明する。図４は、制御装置５０の第１の動作を示す第１フロー図である。図５は、制御装置５０の第１の動作を示す第２フロー図である。
【００４０】
図４に示すように、ステップＳ１０において、入力部２０は、デジタルサイネージを実行することを示すジョブの入力を受け付ける。
【００４１】
ステップＳ２０において、読取部１０は、シートＳに形成された表示画像Ｇ（図２参照）を読み取る。
【００４２】
ステップＳ３０において、算出部５１は、表示画像Ｇに基づいて、画像場所情報Ｇ２を算出する。算出部５１は、例えば、ＯＣＲ機能により、既知のフォントを用いて形成された文字を示す画像と、表示画像Ｇとのパターンマッチングによる照合を行い、表示画像Ｇに含まれる文字を算出する。その結果、第１実施形態では、算出部５１は、ＯＣＲ機能により、画像イベント情報Ｇ１と、画像場所情報Ｇ２と、画像日時情報Ｇ３とを算出する（図２参照）。なお、第１実施形態では、算出部５１により算出された画像場所情報Ｇ２は、「〇×小学校」である。
【００４３】
ステップＳ４０において、決定部５２は、第１対応情報３２（図３参照）と、算出部５１が算出した画像場所情報Ｇ２とに基づいて、複数のグループＭのうちから対象グループを決定する。決定部５２は、第１対応情報３２において、複数のグループＭのうち、画像場所情報Ｇ２と対応するグループＭを、対象グループに決定する。第１実施形態では、画像場所情報Ｇ２は、「〇×小学校」である。従って、第１実施形態の対象グループは、第１グループＭ１である（図３参照）。なお、対象グループに含まれる表示部αを、対象表示部と記載する。第１実施形態では、対象表示部は、第１表示部α１、及び第２表示部α２である。
【００４４】
ステップＳ５０において、入力部２０は、対象日を示す情報の入力を受け付ける。対象日は、対象グループに表示画像Ｇを表示させる日にちを示す。
【００４５】
ステップＳ６０において、入力部２０は、対象時間を示す情報の入力を受け付ける。対象時間は、対象表示部に表示画像Ｇを表示させる時刻又は時間帯を示す。
【００４６】
ステップＳ７０において、料金算出部５４は、対象表示部に表示画像Ｇを表示させるために必要な料金を算出する。料金は、例えば、対象表示部の個数、及び対象表示部に表示画像Ｇが表示される時間の長さに基づいて決定される。例えば、対象表示部の個数が多くなる程、料金が高くなる。さらに、対象表示部に表示画像Ｇが表示される時間が長くなる程、料金が高くなる。料金は、例えば、コインベンダー、プリペイドカード、電子マネー、又はクレジットカードにより決済される。
【００４７】
ステップＳ８０において、制御部５３は、料金が支払われたか否かを判定する。料金が支払われたと制御部５３が判定すると（ステップＳ８０で、Ｙｅｓ）、処理がステップＳ９０に移行する。料金が支払われていないと制御部５３が判定すると（ステップＳ８０で、Ｎｏ）、処理が終了する。
【００４８】
図５に示すように、ステップＳ９０において、制御部５３は、対象表示日に対する表示画像Ｇの表示期間中であるか否かを判定する。制御部５３はタイマーの機能を有し、タイマーにより表示画像Ｇの表示期間中であるか否かを判定する。なお、表示画像Ｇの表示期間は、ステップＳ５０、及びステップＳ６０で決定された期間を示す。表示画像Ｇの表示期間中であると制御部５３が判定すると（ステップＳ９０で、Ｙｅｓ）、処理がステップＳ１００に移行する。表示画像Ｇの表示期間中ではないと制御部５３が判定すると（ステップＳ９０で、Ｎｏ）、処理がステップＳ１４０に移行する。
【００４９】
ステップＳ１００において、制御部５３は、サイズ情報３１に基づいて、対象表示部の表示可能領域のサイズに合わせて表示画像Ｇのサイズを調整する。表示画像Ｇのサイズを調整するとは、表示画像Ｇを拡大又は縮小することを示す。表示画像Ｇのサイズを表示可能領域のサイズに合わせるとは、表示画像Ｇが表示可能領域内に収まる範囲で、表示画像Ｇのサイズをできるだけ大きくすることを示す。
【００５０】
ステップＳ１１０において、制御部５３は、対象表示部に表示画像Ｇを表示させる。なお、対象表示部に表示される表示画像Ｇは、ステップＳ１００でサイズを調整されている。従って、対象表示部の表示可能領域のサイズに適したサイズを有する表示画像Ｇを、対象表示部の表示可能領域に表示させることができる。
【００５１】
なお、第１実施形態では、第１表示部α１、及び第２表示部α２が対象表示部である（ステップＳ４０参照）。従って、第１実施形態では、制御部５３は、第１表示可能領域のサイズに合わせたサイズを有する表示画像Ｇを、第１表示部α１の第１表示可能領域に表示させる。また、制御部５３は、第２表示可能領域のサイズに合わせたサイズを有する表示画像Ｇを、第２表示部α２の第２表示可能領域に表示させる。
【００５２】
ステップＳ１２０において、制御部５３は、表示画像Ｇの表示期間が終了したか否かを判定する。表示画像Ｇの表示期間が終了したと制御部５３が判定すると（ステップＳ１２０で、Ｙｅｓ）、処理がステップＳ１３０に移行する。表示画像Ｇの表示期間が終了していないと制御部５３が判定すると（ステップＳ１２０で、Ｎｏ）、ステップＳ１２０に示す処理が繰り返される。その結果、対象表示部に表示画像Ｇが表示されている状態が保持される。
【００５３】
ステップＳ１３０において、対象表示部から表示画像Ｇの表示を消すように、制御部５３が対象表示部を制御する。従って、対象表示部から表示画像Ｇの表示が消される。その結果、処理が終了する。なお、第１実施形態では、第１表示部α１、及び第２表示部α２の各々から表示画像Ｇの表示が消される。
【００５４】
ステップＳ１４０において、制御部５３は、表示画像Ｇの表示期間が終了したか否かを判定する。表示画像Ｇの表示期間が終了したと制御部５３が判定すると（ステップＳ１４０で、Ｙｅｓ）、処理が終了する。表示画像Ｇの表示期間が終了していないと制御部５３が判定すると（ステップＳ１４０で、Ｎｏ）、処理がステップＳ９０に移行する。
【００５５】
以上、図４、及び図５を参照して説明したように、ステップＳ４０において、決定部５２は、第１対応情報３２と画像場所情報Ｇ２とに基づいて対象グループを決定する。そして、ステップＳ１１０に示すように、制御部５３は、対象表示部に表示画像Ｇを表示させる。従って、画像表示システムＸの利用者は、対象グループを決定する必要がない。その結果、対象グループを決定する作業を容易に行うことができる。
【００５６】
また、ステップＳ１１０に示すように、制御部５３は、対象表示部の表示可能領域のサイズに合わせたサイズを有する表示画像Ｇを、対象表示部の表示可能領域に表示させる。従って、表示可能領域を効率的に使用して、表示可能領域に表示画像Ｇを表示させることが可能になる。
【００５７】
次に、図６を参照して、制御装置５０の第２の動作について説明する。図６は、制御装置５０の第２の動作を示すフロー図である。画像処理装置１００及び情報装置２００が起動している間、制御装置５０が図６に示す処理を実行する。
【００５８】
図６に示すように、ステップＳ２００において、制御部５３は、複数の撮像部βの各々が撮像した画像データを複数の撮像部βの各々から取得する。そして、制御部５３は、複数の撮像部βの各々から取得した画像データに対し人物認識処理を実行し、通行人の画像を取得する。その結果、制御部５３は、表示部α毎に通行人のデータを取得する。通行人のデータは、例えば、人の通行量を示す。また、制御部５３は、通行人の画像に対し顔認識処理を行い、通行人の性別を示すデータ、通行人の年代を示すデータ、及び通行人を特定するための特定データをさらに取得する。
【００５９】
ステップ２１０において、制御部５３は、複数の撮像部βの各々により撮像された通行人の画像に基づいて、第１対応情報３２を更新する。
【００６０】
例えば、制御部５３は、表示部α毎に、所定の通行人が通過する人数をカウントする。所定の通行人は、例えば、「〇×小学校」に向かう通行人を示す。そして、制御部５３は、複数の表示部αのうち、所定の通行人が通過する表示部αのランキングを算出する。そして、ランキングの１位から数えて所定順位までの表示部αを、制御部５３が第１グループＭ１に決定する（図３参照）。なお、制御部５３は、表示部α毎に、所定の通行人をカウントし続け、ランキングを更新し続ける。そして、ランキングに変動がある毎に、複数のグループＭの各々に含まれる表示部αを変更する。ステップ２１０に示す処理が終了すると、処理がステップＳ２００に戻る。
【００６１】
なお、制御部５３は、例えば、下記（ｉ）〜（ｉｉｉ）に示す手順により、表示部αを通過する通行人が、「〇×小学校」に向かう所定の通行人であるか否かを判定する。（ｉ）制御部５３は、通行人の画像に対し顔認識処理を行うことで通行人を特定する。（ｉｉ）制御部５３は、（ｉ）で特定した通行人の位置を複数の撮像部βの画像に基づいて確認する。（ｉｉｉ）（ｉ）で特定した通行人が「〇×小学校」に配置される撮像部βにより撮像されることで、制御部５３は、（ｉ）で特定した通行人が「〇×小学校」に向かう所定の通行人であることを判定する。その結果、表示部α毎に、所定の通行人が通過する人数をカウントすることが可能になる。
【００６２】
以上、図６を参照して説明したように、制御部５３は、複数の撮像部βの各々により撮像された通行人の画像に基づいて、第１対応情報３２を更新する。従って、ステップＳ４０において、決定部５２が対象グループを決定する際、最新の通行人の情報を反映させることができる。
【００６３】
なお、画像表示システムＸにおいて対象グループを決定するようなデータの解析処理は、クラウド上のサーバーで行われてもよい。
【００６４】
［第２実施形態］
図１、及び図７から図９を参照して、本発明の第２実施形態に係る画像表示システムＸについて説明する。
【００６５】
第２実施形態では、算出部５１が対象時間を算出する点で第１実施形態と異なる。以下では、第１実施形態と異なる点を主に説明する。
【００６６】
図１に示すように、記憶部３０は、第２対応情報３３をさらに記憶する。
【００６７】
次に、図７を参照して、第２対応情報３３について説明する。図７は、第２対応情報３３を示す図である。
【００６８】
図７に示すように、第２対応情報３３は、第１表示部α１〜第Ｎ表示部αＮと、第１人数情報Ｙ１〜第Ｎ人数情報ＹＮとをそれぞれ対応付けた情報を示す。第ｎ人数情報Ｙｎは、第ｎ表示部αｎを通過した通行人の人数と、時刻との関係を示す。第ｎ人数情報Ｙｎにおいて、第ｎ表示部αｎを通過した通行人の人数は、単位時刻毎に示される。単位時刻とは、単位時間ごとの時刻を示す。
【００６９】
第２対応情報３３によると、複数の表示部αの各々において、表示部αを通過する通行人の人数が多くなる時間帯が分かる。その結果、表示部αに表示画像Ｇを表示させたときに、表示画像Ｇを多くの人目に触れさせることができる時間帯を算出することが可能になる。
【００７０】
次に、図８を参照して、制御装置５０の第３の動作について説明する。図８は、制御装置５０の第３の動作を示すフロー図である。制御装置５０は、図４のステップＳ６０に示す処理に代えて、ステップＳ６１に示す処理を実行する。
【００７１】
ステップＳ６１において、算出部５１は、第２対応情報３３（図７参照）に基づいて、対象表示部に表示画像Ｇを表示させる時刻又は時間帯である対象時間を算出する。算出部５１は、例えば、第２対応情報３３において、通行人の人数が所定人数Ｚ人よりも多い時間帯を、対象時間として算出する。
【００７２】
例えば、対象表示部が、第１表示部α１、及び第２表示部α２の場合、算出部５１は、第１表示部α１、及び第２表示部α２の各々の対象時間を算出する。この場合、図７に示すように、第１表示部α１では、時間ｔ１〜時間ｔ２の第１時間帯と、時間ｔ３〜時間ｔ４の第２時間帯とで、通行人の人数が所定人数Ｚ人よりも多くなる。従って、算出部５１は、第１時間帯と第２時間帯とを、第１表示部α１の対象時間として算出する。また、第２表示部α２では、時間ｔ５〜時間ｔ６の第３時間帯と、時間ｔ７〜時間ｔ８の第４時間帯とで、通行人の人数が所定人数Ｚ人よりも多くなる。従って、算出部５１は、第３時間帯と第４時間帯とを、第２表示部α２の対象時間として算出する。
【００７３】
なお、ユーザーは、入力部２０を介して、所定人数Ｚ人を変更することができる。
【００７４】
以上、図８を参照して説明したように、ステップＳ６１において、算出部５１は、第２対応情報３３に基づいて対象時間を算出する。従って、画像表示システムＸの利用者は、対象時間を決定する必要がない。その結果、対象時間を決定する作業を容易に行うことができる。
【００７５】
次に、図９を参照して、制御装置５０の第４の動作について説明する。図９は、制御装置５０の第４の動作を示すフロー図である。画像処理装置１００及び情報装置２００が起動している間、制御装置５０が図９に示す処理を実行する。
【００７６】
図９に示すように、ステップＳ３００において、制御部５３は、表示部α毎に通行人のデータを取得する。なお、ステップＳ３００に示す処理は、ステップＳ２００に示す処理（図６参照）と同様である。
【００７７】
ステップＳ３１０において、制御部５３は、複数の撮像部βの各々により撮像された通行人の画像に基づいて、第２対応情報３３（図７参照）を更新する。例えば、制御部５３は、第ｎ表示部αｎを通過する通行人を時刻と対応付けてカウントする。そして、制御部５３は、カウントした人数を、第２対応情報３３の第ｎ表示部αｎの人数情報Ｙに対し、単位時刻毎に区分して追加する追加処理を行う。そして、制御部５３は、図９に示す表示部α毎に追加処理を行うことで、第２対応情報３３を更新する。ステップ３１０に示す処理が終了すると、処理がステップＳ３００に戻る。
【００７８】
なお、第２実施形態では、第１対応情報３２を更新する処理（図６参照）と、第２対応情報３３を更新する処理（図９参照）と並行して実行される。なお、第２実施形態では、第１対応情報３２を更新する処理、及び第２対応情報３３を更新する処理のうちの一方が実行され、他方が実行されなくてもよい。
【００７９】
以上、図９を参照して説明したように、制御部５３は、複数の撮像部βの各々により撮像された通行人の画像に基づいて、第２対応情報３３を更新する。従って、ステップＳ６１において、算出部５１が対象時間を算出する際、最新の通行人の情報を反映させることができる。
【００８０】
［第３実施形態］
次に、図１、図４、及び図１０から図１２を参照して、本発明の第３実施形態に係る画像表示システムＸについて説明する。
【００８１】
第３実施形態では、表示部αを通過する通行人の属性に合わせて、表示部αに表示画像Ｇを表示するか否かを決定する点が第１実施形態、及び第２実施形態と異なる。以下では、第１実施形態、及び第２実施形態と異なる点を主に説明する。
【００８２】
図１に示すように、記憶部３０は、第３対応情報３４をさらに記憶する。
【００８３】
次に、図１０を参照して、第３対応情報３４について説明する。図１０は、第３対応情報３４を示す図である。
【００８４】
図１０に示すように、第３対応情報３４は、第１イベント情報〜第Ｐイベント情報と、第１イベント属性〜第Ｐイベント属性とをそれぞれ対応付けた情報を示す。Ｐは、２以上の整数である。第ｐイベント属性は、第ｐイベント情報に適合する人物の属性を示す。ｐは、１以上Ｐ以下の整数である。属性は、例えば、性別、子供、大人、及び／又は、年代を示す。第３実施形態では、第１イベント情報である「イベントＦ」と、第１イベント属性である「大人」とが対応付けられる。また、第２イベント情報である「イベントＨ」と、第２イベント属性である「子供」とが対応付けられる。
【００８５】
次に、図１１、及び図１２を参照して、制御装置５０の第５の動作について説明する。図１１は、制御装置５０の第５の動作を示す第１フロー図である。図１２は、制御装置５０の第５の動作を示す第２フロー図である。
【００８６】
なお、第３実施形態では、第ｎ表示部αｎは、対象表示部である。
【００８７】
図４、及び図１１に示すように、ステップＳ８０に示す処理が終了すると、ステップＳ８１に移行する。
【００８８】
図１１に示すように、ステップＳ８１において、算出部５１は、表示画像Ｇに基づいて、画像イベント情報Ｇ１を算出する。なお、第３実施形態では、算出部５１により算出された画像イベント情報Ｇ１は、「イベントＦ」である。
【００８９】
ステップＳ８２において、制御部５３は、画像イベント情報Ｇ１、及び第３対応情報３４（図１０参照）に基づいて、第１適合属性（適合属性）を算出する。制御部５３は、第３対応情報３４において、画像イベント情報Ｇ１と対応するイベント属性を、第１適合属性として算出する。言い換えれば、第１適合属性は、画像イベント情報Ｇ１に適合する人物の属性を示す。
【００９０】
第３実施形態では、画像イベント情報Ｇ１は、「イベントＦ」である。従って、第３実施形態では、制御部５３は、第１適合属性として「大人」を算出する。
【００９１】
図１１、及び図１２に示すように、ステップＳ１１０に示す処理が終了すると、処理がステップＳ１１１に移行する。
【００９２】
ステップＳ１１１において、制御部５３は、第ｎ撮像部から取得した画像データに対し人物認識処理を実行し、第ｎ撮像部が通行人を撮像しているか否かをリアルタイムで判定する。以下では、第ｎ撮像部が撮像している通行人を、被撮像人と記載する。
【００９３】
被撮像人がいると制御部５３が判定すると（ステップＳ１１１で、Ｙｅｓ）、処理がステップＳ１１２に移行する。被撮像人がいるとは、第ｎ表示部が撮像している画像に通行人が写っていることを示す。これに対し、被撮像人がいないと制御部５３が判定すると（ステップＳ１１１で、Ｎｏ）、処理がステップＳ１２０に移行する。被撮像人がいないとは、第ｎ撮像部βｎが撮像している画像に通行人が写っていないことを示す。
【００９４】
ステップＳ１１２において、第ｎ撮像部βｎが通行人を撮像すると、制御部５３は、被撮像人の画像に基づいて、被撮像人の属性を算出する。制御部５３は、例えば、被撮像人の画像に対し顔認識処理を行い、被撮像人の属性を算出する。第３実施形態では、制御部５３は、被撮像人が「大人」及び「子供」のうちのいずれの属性を有するかを算出する。制御部５３は、例えば、被撮像人の画像に対し顔認識処理を行い、被撮像人の年代が所定の年代よりも上であると判定すると、被撮像人の属性が「大人」であると算出する。また、制御部５３は、被撮像人の画像に対し顔認識処理を行い、被撮像人の年代が所定の年代以下であると判定すると、被撮像人の属性が「子供」であると算出する。
【００９５】
ステップＳ１１３において、制御部５３は、被撮像人が第１適合属性を有するか否かを判定する。具体的には、ステップＳ１１２で算出された被撮像人の属性が、ステップＳ８２（図１１参照）で算出された第１適合属性に含まれるか否かを判定する。被撮像人が第１適合属性を有すると制御部５３が判定した場合（ステップＳ１１３で、Ｙｅｓ）、処理がステップＳ１２０に移行する。被撮像人が第１適合属性を有しないと制御部５３が判定した場合（ステップＳ１１３で、Ｎｏ）、処理がステップＳ１１４に移行する。
【００９６】
第３実施形態では、第１適合属性が「大人」である。従って、被撮像人の属性が「大人」の場合、被撮像人が第１適合属性を有する。その結果、処理がステップＳ１２０に移行する。なお、第３実施形態では、第ｎ撮像部βｎの前に「大人」がいると、第ｎ表示部αｎから表示画像Ｇの表示が消えず、表示画像Ｇの表示された状態が保持される。
【００９７】
これに対し、被撮像人の属性が「子供」の場合、被撮像人が第１適合属性を有しない。その結果、処理がステップＳ１１４に移行する。
【００９８】
ステップＳ１１４において、被撮像人が第１適合属性を有しないと制御部５３が判定すると、第ｎ表示部αｎが表示画像Ｇを表示しないように制御部５３が第ｎ表示部αｎを制御する。その結果、第ｎ表示部αｎから表示画像Ｇの表示が消える。第３実施形態では、第ｎ撮像部βｎの前に「子供」がいると、第ｎ表示部αｎから表示画像Ｇの表示が消える。
【００９９】
ステップＳ１１５において、制御部５３は、第１適合属性を有しない被撮像人がいるか否かを判定する。詳細には、制御部５３は、第ｎ撮像部βｎから取得した画像データに対し人物認識処理を実行し、第１適合属性を有しない被撮像人がいるか否かをリアルタイムで判定する。第３実施形態では、制御部５３は、第ｎ撮像部βｎの前に「子供」がまだいるか否かを判定する。
【０１００】
第１適合属性を有しない被撮像人がいると制御部５３が判定した場合（ステップＳ１１５で、Ｙｅｓ）、ステップ１１５に示す処理が繰り返される。その結果、第ｎ表示部αｎから表示画像Ｇの表示が消えた状態が保持される。なお、第３実施形態では、「子供」が第ｎ撮像部βｎの前にまだいる場合、第ｎ表示部αｎから表示画像Ｇの表示が消えた状態が保持される。
【０１０１】
これに対し、第１適合属性を有しない被撮像人がいないと制御部５３が判定した場合（ステップＳ１１５で、Ｎｏ）、処理がステップＳ１１６に移行する。
【０１０２】
ステップＳ１１６において、第ｎ表示部αｎが表示画像Ｇを表示するように制御部５３が第ｎ表示部αｎを制御する。その結果、第ｎ表示部αｎに表示画像Ｇが表示される。なお、第３実施形態では、「子供」が第ｎ撮像部βｎの前からいなくなると、第ｎ表示部αｎに表示画像Ｇが表示される。ステップＳ１１６に示す処理が終了すると、処理がステップＳ１２０に移行する。
【０１０３】
ステップＳ１２０において、制御部５３は、表示画像Ｇの表示期間が終了したか否かを判定する。表示画像Ｇの表示期間が終了したと制御部５３が判定すると（ステップＳ１２０で、Ｙｅｓ）、処理がステップＳ１３０に移行する。表示画像Ｇの表示期間が終了していないと制御部５３が判定すると（ステップＳ１２０で、Ｎｏ）、処理がステップＳ１１１に移行する。
【０１０４】
以上、図１１、及び図１２を参照して説明したように、ステップＳ１１３及びステップＳ１１４において、被撮像人が第１適合属性を有しない場合、第ｎ表示部αｎが表示画像Ｇを表示しないように制御部５３が第ｎ表示部αｎを制御する。従って、表示画像Ｇの表示期間中に、被撮像人の属性に合わせて、表示画像Ｇを第ｎ表示部αｎに表示させている状態と、表示画像Ｇを第ｎ表示部αｎに表示させていない状態とを切り替えることが可能になる。
【０１０５】
［第４実施形態］
図１、図１３、及び図１４を参照して、本発明の第４実施形態に係る画像表示システムＸについて説明する。
【０１０６】
第４実施形態では、被撮像人の属性に合わせて第ｎ表示部αｎに表示される表示画像Ｇが変更される点が第１実施形態〜第３実施形態と異なる。以下では、第１実施形態〜第３実施形態と異なる点を主に説明する。
【０１０７】
図１に示すように、記憶部３０は、第４対応情報３５をさらに記憶する。
【０１０８】
次に、図１３を参照して、第４対応情報３５について説明する。図１３は、第４対応情報３５を示す図である。
【０１０９】
図１３に示すように、第４対応情報３５は、第１表示画像Ｊ１〜第Ｑ表示画像ＪＱと、第１画像属性Ｋ１〜第Ｑ画像属性ＫＱとをそれぞれ対応付けた情報を示す。Ｑは、２以上の整数を示す。第ｑ画像属性Ｋｑは、第ｑ表示画像Ｊｑに適合する人物の属性を示す。ｑは、１以上、Ｑ以下の整数である。第４実施形態では、第１表示画像Ｊ１には、第１画像属性Ｋ１である「大人」が対応付けられる。第２表示画像Ｊ２には、第２画像属性Ｋ２である「子供」が対応付けられる。
【０１１０】
次に、図１４を参照して、制御装置５０の第６の動作について説明する。図１４は、制御装置５０の第６の動作を示すフロー図である。
【０１１１】
図１４に示すように、ステップＳ４００において、制御部５３は、第ｎ撮像部βｎから取得した画像データに対し人物認識処理を実行し、第ｎ撮像部βｎが通行人を撮像しているか否かをリアルタイムで判定する。被撮像人がいると制御部５３が判定すると（ステップＳ４００で、Ｙｅｓ）、処理がステップＳ４１０に移行する。被撮像人がいないと制御部５３が判定すると（ステップＳ４００で、Ｎｏ）、ステップＳ４００に示す処理が繰り返される。
【０１１２】
ステップＳ４１０において、第ｎ撮像部βｎが通行人を撮像すると、制御部５３は、被撮像人の画像に基づいて、被撮像人の属性を算出する。第４実施形態では、制御部５３は、被撮像人が「大人」及び「子供」のうちのいずれの属性を有するかを算出する。
【０１１３】
ステップＳ４２０において、制御部５３は、第４対応情報３５と、被撮像人の属性とに基づいて、適合画像を算出する。制御部５３は、第４対応情報３５において、被撮像人の属性を含む画像属性Ｋに対応する表示画像Ｇを、適合画像として算出する。言い換えれば、適合画像は、複数の表示画像Ｇのうち被撮像人の属性に適合する表示画像Ｇを示す。
【０１１４】
第４実施形態では、被撮像人が「大人」の場合、適合画像は第１表示画像Ｊ１である。これに対し、被撮像人が「子供」の場合、適合画像は第２表示画像Ｊ２である。
【０１１５】
ステップＳ４３０において、第ｎ表示部αｎが適合画像を表示するように、制御部５３が第ｎ表示部αｎを制御する。その結果、第ｎ表示部αｎには、適合画像が表示される。なお、第４実施形態では、被撮像人が「大人」の場合、第ｎ表示部αｎには第１表示画像Ｊ１が表示される。これに対し、被撮像人が「子供」の場合、第ｎ表示部αｎには第２表示画像Ｊ２が表示される。
【０１１６】
ステップＳ４４０において、制御部５３は、第２適合属性を有する被撮像人がいるか否かを判定する。詳細には、制御部５３は、第ｎ撮像部βｎから取得した画像データに対し人物認識処理を実行し、第２適合属性を有する被撮像人がいるか否かをリアルタイムで判定する。第２適合属性は、第４対応情報３５において、適合画像に対応する人物の属性を示す。
【０１１７】
第２適合属性を有する被撮像人がいると制御部５３が判定した場合（ステップＳ４４０で、Ｙｅｓ）、ステップＳ４４０に示す処理が繰り返される。その結果、第ｎ表示部αｎに適合画像が表示されている状態が保持される。第４実施形態では、第ｎ撮像部βｎが撮像している画像に「大人」が写っていると、第ｎ表示部αｎに第１表示画像Ｊ１が表示され続ける。これに対し、第ｎ撮像部βｎが撮像している画像に「子供」が写っていると、第ｎ表示部αｎに第２表示画像Ｊ２が表示され続ける。
【０１１８】
第２適合属性を有する被撮像人がいないと制御部５３が判定した場合（ステップＳ４４０で、Ｎｏ）、処理がステップＳ４５０に移行する。
【０１１９】
ステップＳ４５０において、対象表示部から表示画像Ｇの表示を消すように、制御部５３が第ｎ表示部αｎを制御する。その結果、第ｎ表示部αｎから表示画像Ｇの表示が消される。なお、第４実施形態では、「大人」が第ｎ表示部αｎを通過し、第ｎ撮像部βｎに映らなくなると、第ｎ表示部αｎから第１表示画像Ｊ１の表示が消される。これに対し、「子供」が第ｎ表示部αｎを通過し、第ｎ撮像部βｎに映らなくなると、第ｎ表示部αｎから第２表示画像Ｊ２の表示が消される。
【０１２０】
ステップＳ４５０に示す処理が終了すると、処理がステップＳ４００に戻る。
【０１２１】
以上、図１４を参照して説明したように、ステップＳ４４０において、第２適合属性を有する被撮像人がいる間、第ｎ表示部αｎが適合画像を表示するように、制御部５３が第ｎ表示部αｎを制御する。従って、第ｎ表示部αｎに対し、被撮像人の属性に合わせた表示画像Ｇを表示させることが可能になる。
【０１２２】
［第５実施形態］
図１５を参照して、画像形成装置３００について説明する。図１５は、画像形成装置３００を示す模式的断面図である。
【０１２３】
画像形成装置３００は、搬送部１と、入力部２と、読取部３と、カセット４と、給送ローラー５ａと、搬送ローラー５ｂと、排出ローラー５ｃと、画像形成部６と、記憶装置７と、制御装置９とを備える。
【０１２４】
搬送部１は、読み取り対象の画像を有するシートを、読取部３に向けて搬送する。読取部３は、シートを走査して、画像データを取得する。入力部２は、画像形成装置３００に対するユーザーからの指示を受け付ける。表示部２ａは、タッチパネルとして機能する。この場合、入力部２は、タッチパネルを含む。
【０１２５】
カセット４は、シートＴを収容する。給送ローラー５ａは、カセット４内のシートＴを送出する。搬送ローラー５ｂは、給送ローラー５ａから搬送されたシートＴを、画像形成部６に向けて送出する。
【０１２６】
画像形成部６は、シートＴに画像を形成する。画像は、具体的には、トナー画像を示す。画像形成部６は、感光体ドラムと、帯電部と、露光部と、現像部と、転写部と、クリーニング部と、除電部とを含む。感光体ドラム、帯電部、露光部、現像部、及び転写部によって、シートＴに画像が形成される。クリーニング部は、感光体ドラムの表面に残留しているトナーを除去する。除電部は、感光体ドラムの表面の残留電荷を除去する。画像形成部６は、シートＴに画像を形成した後、シートＴを定着部に向けて送出する。定着部は、画像を加熱及び加圧してシートＴに定着させる。なお、画像形成部６は、ノズルを有し、ノズルからインクを吐出して、シートＴに画像を形成してもよい。
【０１２７】
排出ローラー５ｃは、画像形成部６を通過したシートＴを、画像形成装置３００の筐体の外部へ排出する。
【０１２８】
記憶装置７は、制御装置９によって実行される種々のコンピュータープログラムを記憶する。
【０１２９】
通信装置８は、ＬＡＮ（Ｌｏｃａｌ  Ａｒｅａ  Ｎｅｔｗｏｒｋ）などのネットワーク網Ｎを介して情報装置２００と通信する。
【０１３０】
制御装置９は、搬送部１と、入力部２と、読取部３と、カセット４と、給送ローラー５ａと、搬送ローラー５ｂと、画像形成部６と、排出ローラー５ｃと、記憶装置７と、通信装置８とを制御する。
【０１３１】
画像形成装置３００は、画像処理装置１００として機能する。詳細には、画像形成装置３００の読取部３は、画像処理装置１００の読取部１０として機能する。画像形成装置３００の入力部２は、画像処理装置１００の入力部２０として機能する。画像形成装置３００の記憶装置７は、画像処理装置１００の記憶部３０として機能する。画像形成装置３００の通信装置８は、画像処理装置１００の通信部４０として機能する。画像形成装置３００の制御装置９は、画像処理装置１００の制御装置５０として機能する。その結果、画像形成装置３００を画像処理装置１００として利用することが可能になる。また、店舗に配置されている画像形成装置３００を利用して、画像表示システムＸを構成することが可能になる。
【０１３２】
以上、図面（図１〜図１５）を参照しながら本発明の実施形態について説明した。但し、本発明は、上記の実施形態に限られるものではなく、その要旨を逸脱しない範囲で種々の態様において実施することが可能である（例えば、（１）〜（６））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１３３】
（１）第３実施形態のステップＳ１１１〜ステップＳ１１４において、第ｎ撮像部βｎが第１適合属性を有しない被撮像人を撮像すると、第ｎ表示部αｎから表示画像Ｇの表示が消える。しかし、第ｎ撮像部βｎが第１適合属性を有しない被撮像人と第１適合属性を有する被撮像人とを同時に撮像した場合、第ｎ表示部αｎから表示画像Ｇの表示が消えず、表示画像Ｇの表示が保持されてもよい。例えば、第１適合属性が「大人」であった場合、「子供」のみが第ｎ表示部αｎの位置する場所を通ると第ｎ表示部αｎから表示画像Ｇの表示が消えるが、「子供」に「大人」が同伴していると第ｎ表示部αｎから表示画像Ｇの表示が消えなくてもよい。
【０１３４】
（２）第１実施形態〜第５実施形態において、例えば、駅に配置される表示部αにコンビニエンスストアのような商業施設で販売されている商品の在庫を示す画像をイベント情報として表示させてもよい。その結果、駅を利用する通行人は、駅から移動する途中に利用する商業施設を決定することが可能になる。
【０１３５】
（３）第１実施形態〜第３実施形態において、複数の表示部αが配置される地域の天気を予測する天気情報を制御部５３がインターネットを介して取得してデータベースに登録してもよい。この場合、制御部５３は、複数の表示部αが配置される地域の天気を、天気情報に基づいて予測し、予測した天気に合わせて対象グループに表示画像Ｇを表示させる時間帯を決定してもよい。例えば、制御部５３は、晴れ、又は、曇りと予測する時間帯を、表示画像Ｇを表示させる時間帯に決定する。その結果、表示画像Ｇを表示させる時間帯に決定する際、天気を反映させることが可能になる。
【０１３６】
（４）第１実施形態〜第３実施形態において、複数のユーザーの間で、同一の表示部αに表示画像Ｇを表示させる時間帯が競合した場合、例えば、先着順で表示部αに表示画像Ｇを表示させることができるユーザーを決定してもよい。また、表示画像Ｇを表示させる時間帯を、複数のユーザーの間で分配してもよい。この場合、例えば、料金を多く支払ったユーザーのほうが分配される時間が長くなる。
【０１３７】
（５）第１実施形態〜第３実施形態において、画像表示システムＸを利用するユーザーの属性に応じて、対象グループに表示画像Ｇを表示させるために必要な料金の額を変更してもよい。この場合、料金算出部５４は、例えば、画像イベント情報Ｇ１（図２参照）に基づいて画像表示システムＸの利用者の属性を算出し、ユーザーの属性に基づいて料金を算出する。例えば、企業よりも個人の方が、料金が安くなるように、料金算出部５４が料金を算出する。その結果、画像表示システムＸの利用者の属性を反映させた料金を算出することが可能になる。
【０１３８】
（６）自動車のような車両に表示部αを配置してもよい。この場合、例えば、通行止めが発生すると、通行止めが発生していることを示す通行止め画像を読取部１０で読み取る。そして、通行止めが発生している場所の近くを走行している車両の表示部αに、画像処理装置１００の通信部４０を介して通行止め画像を送信する。そして、車両の表示部αに通行止め画像をイベント情報として表示させる。その結果、車両のドライバーは、通行止めが発生していることを認識することが可能になる。
【０１３９】
なお、カーナビゲーションを表示部αとして利用してもよい。また、カーナビゲーションを表示部αとして利用する場合、カーナビゲーションの通信機能を利用して、表示部αが画像処理装置１００の通信部４０と通信してもよい。なお、カーナビゲーションを表示部αとして利用する場合、画像処理装置１００の制御部５３は、カーナビゲーションに表示させる画像を文字情報だけで構成された簡素な画像に加工し、加工後の画像をカーナビゲーションに表示させてもよい。つまり、カーナビゲーションの画面が、デジタルサイネージで利用される一般的な表示部αの画面よりも小さい点を考慮して、制御部５３がカーナビゲーションに表示させる表示画像Ｇを簡素な画像に加工してもよい。その結果、カーナビゲーションの画面のサイズに合わせた画像を形成することが可能になる。
【産業上の利用可能性】
【０１４０】
本発明は、画像処理装置、及び画像表示システムの分野に利用可能である。
【符号の説明】
【０１４１】
１０    読取部
３０    記憶部
３２    第１対応情報
３３    第２対応情報
３４    第３対応情報
５１    算出部
５２    決定部
５３    制御部
１００  画像処理装置
２００  情報装置
Ｇ      表示画像
Ｇ１    画像イベント情報
Ｇ２    画像場所情報
Ｌ      場所情報
Ｍ      グループ
Ｓ      シート
Ｘ      画像表示システム
α      表示部
αｎ    第ｎ表示部
β      撮像部
【図１】
2019117572.tif 000003
【図２】
2019117572.tif 000004
【図３】
2019117572.tif 000005
【図４】
2019117572.tif 000006
【図５】
2019117572.tif 000007
【図６】
2019117572.tif 000008
【図７】
2019117572.tif 000009
【図８】
2019117572.tif 000010
【図９】
2019117572.tif 000011
【図１０】
2019117572.tif 000012
【図１１】
2019117572.tif 000013
【図１２】
2019117572.tif 000014
【図１３】
2019117572.tif 000015
【図１４】
2019117572.tif 000016
【図１５】
2019117572.tif 000017